(57)【特許請求の範囲】
【請求項１】
被写体を撮影して画像データを記録するための第１の動作モードと、被写体を撮影して画像データを記録すると共に外部に転送するための第２の動作モードとを有し、
被写体を撮像して画像データを取得する画像入力手段と、
画像データを記録するための記録手段と、
外部装置とデータ通信するための通信手段と、
前記第１の動作モードまたは前記第２の動作モードの選択を指示する第１の情報が格納される第１の記憶手段と、
前記第１の情報の内容に従って、前記第１の動作モードまたは前記第２の動作モードを実行すべく制御する制御手段と、
を備えたことを特徴とするデジタルカメラ。
【請求項２】
前記第２の動作モードを実行するための複数のパラメータと、前記複数のパラメータのうちの１または複数を指定する第２の情報が格納される第２の記憶手段を備え、
前記制御手段は、前記第２の動作モードが選択された場合には、前記第２の情報で指定されるパラメータに従って当該第２の動作モードを実行することを特徴とする請求項１に記載のデジタルカメラ。
【請求項３】
前記第１の情報の内容を前記外部装置から設定可能としたことを特徴とする請求項１に記載のデジタルカメラ。
【請求項４】
前記第２の情報の内容を前記外部装置から設定可能としたことを特徴とする請求項２に記載のデジタルカメラ。
【請求項５】
前記第２の動作モードを実行するためのパラメータを前記外部装置から設定可能としたことを特徴とする請求項１〜４のいずれか１つに記載のデジタルカメラ。
【請求項６】
前記第２の動作モードのパラメータには、撮影時の画質に関する情報および／または通信時の設定情報が含まれることを特徴とする請求項１〜５のいずれか１つに記載のデジタルカメラ。
【請求項７】
デジタルカメラおよび当該デジタルカメラと接続可能な外部装置とを備えたデジタルカメラシステムにおいて、
前記デジタルカメラは、
被写体を撮影して画像データを記録するための第１の動作モードと、被写体を撮影して画像データを記録すると共に外部に転送するための第２の動作モードとを有し、
被写体を撮像して画像データを取得する画像入力手段と、
画像データを記録するための記録手段と、
外部装置とデータ通信するための第１の通信手段と、
前記第１の動作モードまたは前記第２の動作モードの選択を指示する第１の情報が格納される第１の記憶手段と、
前記第１の情報の内容に従って、前記第１の動作モードまたは前記第２の動作モードを実行すべく制御する制御手段とを含み、
前記外部装置は、
前記デジタルカメラとデータ通信するための第２の通信手段と、
前記第２の通信手段を介して、前記第１の情報の内容および前記第２の動作モードを実行するためのパラメータを設定する設定手段とを含むことを特徴とするデジタルカメラシステム。
【発明の詳細な説明】
【０００１】
【発明の属する技術分野】
この発明は、デジタルカメラおよびデジタルカメラシステムに関し、詳細には、通信機能を備えたデジタルカメラおよびデジタルカメラシステムに関する。
【０００２】
【従来の技術】
近時のデジタルカメラは、ＲＳ２３２ＣインターフェースやＵＳＢ等のインターフェースでＰＣ（パーソナルコンピュータ）と接続することが可能となっている。ＰＣでデジタルカメラのデータ蓄積エリアにアクセスすることにより、デジタルカメラで撮影した写真データをＰＣに転送でき、また、ＰＣで加工した画像データをデジタルカメラに転送することができる。
【０００３】
例えば、特開平５−２１９４２２号公報や特開平５−２１９４３０号公報のように、ＰＣとデジタルカメラを結合させて構成し、ＰＣからパラメータと命令をデジタルカメラに設定し、デジタルカメラをリモートコントロールする技術が知られている。
【０００４】
また、特開平６−６７２６５号公報のカメラシステムでは、カメラシステムをカメラ本体と補助設定装置（電子手帳）とで構成し、カメラ本体側に、該カメラ本体の有する撮影モードに基づくデータが格納される第１メモリーと、設定補助装置側から送信される指令データと変更データが格納される第２メモリーとを設け技術が開示されている。この指令データは、カメラ本体の撮影モードの一部を変更するためのものである。従って、通常は、カメラ本体の第１メモリーに格納されたデータに基づいて撮影を行う一方、特殊な撮影を行うときは、補助設定装置（電子手帳）をカメラ本体に電気的に接続し、補助設定装置（電子手帳）側からカメラ本体の第２のメモリーへ指令データと変更データを送信する。そして、カメラ本体側で当該指令データが補助設定装置側から与えられたか否かが判別され、指令データが与えられなかったと判別されたときにはカメラ本体の第１メモリーの格納内容に基づいて撮影を行い、他方、指令データが与えられたと判別されたときは、第２のメモリーの格納内容に基づいて撮影を行う。
【０００５】
さらに、特開平８−３３５１０２号公報では、カメラのパラメータをグラフィカルなユーザーインターフェースにより効率良く、かつ、正確にセットアップ可能なカメラセットアップシステムが提案されている。
【０００６】
ところで、近時、情報転送のスピード化が求められ、従来からのカメラの使い方であった撮影した写真を保存するという使い方に加えて、撮影した写真を直ぐにどこかに送信したいという使用方法が求められている。
【０００７】
【発明が解決しようとする課題】
しかしながら、従来技術においては、外部装置でデジタルカメラの撮影モードを変更する技術は開示されているが、写真を取る作業とその写真を転送する作業とが別々に必要となり、外部にデータを転送する際には通信に関する設定が必要となるため、通信の設定にはある程度の知識が必要とされることから、操作が複雑で難しいという問題がある。特に、デジタルカメラが業務報告で使用される場合には、カメラの操作者はその操作に未熟な場合が多く、使いこなすのは難しくなっている。
【０００８】
また、デジタルカメラは、近時、高画素対応で高機能になっており、業務および個人においての定型作業を行うにあたり、その設定が多種にわたるため、デジタルカメラを操作する各々の者が適切な設定にする事が困難になってきており、撮影したデータを有効に活かすことが難しくなっている。
【０００９】
高画質なモードを選択して撮影すると、細部にわたってきれいに撮影できるが、そのデータ容量は多くなるため、必ずしも最も高画質で撮影すれば良いとは言えない。例えば、画像をＡ４サイズで印刷する場合は１６００＊１２００ドット、Ａ４報告書の一部に画像を使う場合は４００＊４８０ドット等というように、画質は最終的に画像データをどう扱うかにより決定され、デジタルカメラを操作する操作者には、最適な設定値が通常分からないものである。従って、デジタルカメラの操作者が、画質等の設定を直接行うのではなく、その目的毎に自動的に設定できることが望まれる。
【００１０】
本発明は、上記に鑑みてなされたものであり、撮影した画像を容易に外部に転送することが可能なデジタルカメラおよびデジタルカメラシステムを提供することを目的とする。
【００１１】
【課題を解決するための手段】
上述した課題を解決するため、請求項１にかかる発明は、被写体を撮影して画像データを記録するための第１の動作モードと、被写体を撮影して画像データを記録すると共に外部に転送するための第２の動作モードとを有し、被写体を撮像して画像データを取得する画像入力手段と、画像データを記録するための記録手段と、外部装置とデータ通信するための通信手段と、前記第１の動作モードまたは前記第２の動作モードの選択を指示する第１の情報が格納される第１の記憶手段と、前記第１の情報の内容に従って、前記第１の動作モードまたは前記第２の動作モードを実行すべく制御する制御手段と、を備えたものである。
【００１２】
上記発明によれば、被写体を撮影して画像データを記録する第１の動作モードと、被写体を撮影して画像データを記録すると共に外部に転送する第２の動作モードとを有し、制御手段は、第１の動作モードまたは第２の動作モードの選択を指示する第１の情報に従って、第１の動作モードまたは第２の動作モードを実行する。
【００１３】
また、請求項２にかかる発明は、請求項１にかかる発明において、前記第２の動作モードを実行するための複数のパラメータと、複数のパラメータのうちの１または複数を指定する第２の情報が格納される第２の記憶手段を備え、前記制御手段は、前記第２の動作モードが選択された場合には、前記第２の情報で指定されるパラメータに従って当該第２の動作モードを実行すべく制御するものである。
【００１４】
上記発明によれば、第２の動作モードを実行するための複数のパラメータを備え、制御手段は、第２の動作モードが選択された場合には、複数のパラメータのうちの１または複数を指定するための第２の情報で指定されるパラメータに従って当該第２の動作モードを実行する。
【００１５】
また、請求項３にかかる発明は、請求項１にかかる発明において、前記第１の情報の内容を前記外部装置から設定可能としたものである。上記発明によれば、外部装置から第１の情報の内容を設定可能とした。
【００１６】
また、請求項４にかかる発明は、請求項２にかかる発明において、前記第２の情報の内容を前記外部装置から設定可能としたものである。上記発明によれば、外部装置から第２の情報の内容を設定可能とした。
【００１７】
また、請求項５にかかる発明は、請求項１〜４のいずれか１つにかかる発明において、前記第２の動作モードを実行するためのパラメータを前記外部装置から設定可能としたものである。上記発明によれば、外部装置から第２の動作モードを実行するためのパラメータを設定可能とした。
【００１８】
また、請求項６にかかる発明は、請求項１〜５のいずれか１つにかかる発明において、前記第２の動作モードを実行するためのパラメータには、撮影時の画質に関する情報および／または通信時の設定情報が含まれることとした。上記発明によれば、第２の動作モードを実行するためのパラメータには、撮影時の画質に関する情報および／または通信時の設定情報が含まれる。
【００１９】
また、請求項７にかかる発明は、デジタルカメラおよび当該デジタルカメラと接続可能な外部装置とを備えたデジタルカメラシステムにおいて、前記デジタルカメラは、被写体を撮影して画像データを記録する第１の動作モードと、被写体を撮影して画像データを記録すると共に外部に転送する第２の動作モードとを有し、被写体を撮像して画像データを取得する画像入力手段と、画像データを記録するための記録手段と、外部装置とデータ通信するための第１の通信手段と、前記第１の動作モードまたは前記第２の動作モードの選択を指示する第１の情報が格納される第１の記憶手段と、前記第１の情報の内容に従って、前記第１の動作モードまたは前記第２の動作モードを実行すべく制御する制御手段とを含み、前記外部装置は、前記デジタルカメラとデータ通信するための第２の通信手段と、前記第２の通信手段を介して、前記第１の情報の内容および前記第２の動作モードを実行するためのパラメータを設定する設定手段とを含むものである。
【００２０】
上記発明によれば、デジタルカメラでは、被写体を撮影して画像データを記録するための第１の動作モードと、被写体を撮影して画像データを記録すると共に外部に転送するための第２の動作モードとを有し、制御手段は第１の動作モードまたは第２の動作モードの選択を指示する第１の情報の内容に従って、第１の動作モードまたは第２の動作モードを実行し、外部装置では、設定手段は第１の情報の内容および第２の動作モードを実行するためのパラメータを設定する。
【００２１】
【発明の実施の形態】
以下、添付図面を参照して本発明に係るデジタルカメラおよびデジタルカメラシステムの好適な実施の形態を詳細に説明する。
【００２２】
図１は本発明に係るデジタルカメラシステムの概略構成を示す図である。同図に示す如く、デジタルカメラシステムは、デジタルカメラ１と、外部装置であるパーソナルコンピュータ２とからなり、両者は接続ケーブル３を介して接続され、データ通信が行われる。なお、ここでは、デジタルカメラ１とパーソナルコンピュータ２を接続ケーブルを介して通信することとしたが、デジタルカメラ１とパーソナルコンピュータ２を無線（例えばＩｒＤＡ等）で接続することにしても良い。また、ここでは、デジタルカメラ１とパーソナルコンピュータ２を直接接続することとしたが、インターネット等のネットワークを介して接続することにしても良い。また、ここでは、デジタルカメラ１に接続される外部装置としてパーソナルコンピュータを用いた例を示しているが、これに限られるものではなく、デジタルカメラ１に接続される外部装置としては、電子手帳や、携帯端末装置（例えば、ＰＤＡ等）等を接続することにしても良い。
【００２３】
図２は、図１のデジタルカメラ１の構成を示すブロック図である。同図に示す如く、デジタルカメラ１は、レンズ１０１、オートフォーカス機構等を含むメカ機構１０２、ＣＣＤ１０３、ＣＤＳ（Ｃｏｒｒｅｌａｔｅｄ  Ｄｏｕｂｌｅ  Ｓａｍｐｌｉｎｇ；相関２重サンプリング）回路１０４、Ａ／Ｄ変換器１０５、デジタル信号処理部１０６、画像圧縮／伸長処理部１０７、カードインタフェース１０８、カード用アダプタ（ＰＣカードＩ／Ｆ）１０９、ＣＰＵ１１０、モータドライバ１１１、ＳＧ（制御信号生成部）１１２、モード表示部１１３、操作部１１４、メモリ１１５、ＲＡＭ１１６、データ通信部１１７、ストロボ回路１１８、ＬＣＤ１１９、ＤＣ−ＤＣコンバーター１２１、電池１２２、記録媒体１２３等により構成されている。
【００２４】
メカ機構１０２は、メカニカルシャッター、オートフォーカス機構、絞り機構、およびフィルターを含んでいる。ＣＣＤ１０３は、レンズ１０１とメカ機構１０２を介して入力された被写体像を電気信号（アナログ画像データ）に変換する。ＣＤＳ回路１０４は、ＣＣＤ型撮像素子に対する低雑音化のための回路である。Ａ／Ｄ変換器１０５は、ＣＤＳ回路１０４を介して入力されたＣＣＤ１０３からのアナログ画像データをデジタル画像データに変換する。
【００２５】
デジタル信号処理部１０６は、Ａ／Ｄ変換器１０５から入力したデジタル画像データについて、色差（Ｃｂ，Ｃｒ）と輝度（Ｙ）に分けて各種処理、補正および画像圧縮／伸長のためのデータ処理を行う。画像圧縮／伸長処理部１０７は、例えば、ＪＰＥＧに準拠した圧縮（符号化）、伸長（復号化）処理を施す。カードインタフェース１０８は、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）規格に準拠したＰＣカードとのインタフェース動作を実行する。記録媒体１２３は、例えば、コンパクトフラッシュやスマートメディア等からなり、圧縮処理された画像データ等が記録される。
【００２６】
モータドライバ１１１は、ＣＰＵ１１０から入力される制御信号に従って、レンズ１０１の駆動モータや、メカ機構１０２の絞りモータ等を駆動制御する。ＳＧ（制御信号生成部）１１２は、ＣＣＤ１０３、ＣＤＳ回路１０４、Ａ／Ｄ変換器１０５の動作タイミングを制御する信号を生成する。
【００２７】
モード表示部１１３には、選択されているモード等が表示される。操作部１１４は、機能選択、各種モードの設定や、撮影指示等の操作を行うための各種スイッチを備えている。
【００２８】
ＣＰＵ１１０は、操作部１１４からの指示または図示しないリモコン等の外部動作指示に従い、メモリ１１５に格納された各種制御プログラムに従って、ＲＡＭ１１６をワークエリアとして使用して、デジタルカメラ１の装置全体の制御を行う。本実施のデジタルカメラ１は、被写体を撮影して画像データを記録する第１の動作モードと、被写体を撮影して画像データを記録すると共に外部に転送する第２の動作モードとを有している。
【００２９】
メモリ１１５には各種制御プログラムやデータ等が格納されている。図３はメモリ１１５のデータ構成の一部を示す図である。同図に示すように、メモリ１１５は、自動実行フラグ格納部１５１、自動実行パラメータ＿エリア番号格納部１５２、自動実行パラメータ格納部（０〜Ｎ）１５３、ＰＣ接続プログラム格納部１５４、撮影時プログラム収納部１５５、およびアドレス帳１５６等を備えている。
【００３０】
自動実行フラグ格納部１５１には、自動実行を行うか否かを指定するための自動実行フラグ（第１の情報）が格納されている。例えば、自動実行フラグが「ＯＮ」の場合には自動実行ＯＮに設定され第２の動作モードが実行され、自動実行フラグが「ＯＦＦ」の場合には自動実行ＯＦＦに設定され第１の動作モードが実行される。
【００３１】
自動実行パラメータ＿エリア番号格納部１５２には、自動実行パラメータ格納部（０〜Ｎ）１５３の１又は複数を選択するためのエリア番号（第２の情報）が格納される。例えば、エリア番号「１」が設定されている場合には、自動実行パラメータ格納部１が選択される。
【００３２】
自動実行パラメータ格納部（０〜Ｎ）１５３には、自動実行（第２の動作モード）する際に使用されるパラメータ（設定値）が格納されており、複数の自動実行パラメータ０〜Ｎが格納されている。複数の自動実行パラメータ０〜Ｎのうち、自動実行（第２の動作モード）する際には、自動実行パラメータ＿エリア番号格納部１５２のエリア番号で選択される自動実行パラメータが使用される。なお、自動実行パラメータ０〜Ｎ毎に異なった設定値を設定できる。
【００３３】
自動実行パラメータとしては、写真の縦横のサイズや色数等の撮影画質のパラメータ１６１、データ通信部１１７を介して記録された画像データを外部に転送する際の画質のパラメータ１６２、転送先メールアドレス１６３、転送先パスワード１６４、電話番号１６５、通信機能ＯＮ／ＯＦＦフラグ１６６等が格納されている。
【００３４】
これら自動実行フラグ格納部１５１、自動実行パラメータ＿エリア番号格納部１５２、および自動実行パラメータ格納部（０〜Ｎ）１５３のデータは、パーソナルコンピュータ２と接続した時にＰＣ接続プログラム格納部１５５に格納されたプログラムを起動することにより、パーソナルコンピュータ２上のデジタルカメラ設定用プログラムから設定できる。この設定は、特開平６−６７２６５号公報のカメラシステムと同様な方法で実行することができる。ここではその詳細な設定方法の説明は省略する。
【００３５】
データ通信部１１７は、有線または無線方式で外部装置とデータ通信するためのものである。ストロボ回路１１８はＣＰＵ１１０の制御によりストロボ光を発する。
【００３６】
ＬＣＤ１１９は、デジタル信号処理部１０６の表示制御により画像データや操作メニュー等が表示される。バッテリ１２２は、カメラ電源として使用されるものであり、例えば、ニッケル水素電池、リチウムイオン電池、ニッカド（ＮｉＣｄ）電池、アルカリ電池等からなり、ＤＣ−ＤＣコンバータ１２１を介してデジタルカメラ１の内部に供給される。ＤＣ−ＤＣコンバータ１２１は、ＣＰＵ１１０の制御により、デジタルカメラ内部に出力する各種電源をＯＮ／ＯＦＦするスイッチ回路を内蔵している。
【００３７】
図４は、図１のパーソナルコンピュータ２の構成例を示す図である。図２において、パーソナルコンピュータ２は、文字列を入力する入力部２０１と、データ通信を行うためのデータ通信部２０２と、表示部２０３と、パーソナルコンピュータの全体の制御を司るＣＰＵ２０４と、ＣＰＵ２０４を動作させる各種制御プログラムを格納した記録媒体２０５と、記録媒体２０５のデータのリード／ライトを行うための記録媒体ドライブ装置２０６と、およびＣＰＵ２０４のワークエリアとして使用されるＲＡＭ２０７等とから構成されている。
【００３８】
入力部２０１は、カーソルキー、数字入力キーおよび各種機能キー等を備えたキーボード等からなり、キーボードで押下されたキーの押下信号をＣＰＵ４４に出力する。データ通信部２０２は、デジタルカメラ１等とデータ通信を行うものである。表示部２０３は、ＣＲＴやＬＣＤ等により構成され、ＣＰＵ２０４から入力される表示データに応じた表示が行われる。
【００３９】
ＣＰＵ２０４は、記録媒体２０５に格納されている各種制御プログラムに従って、パーソナルコンピュータの装置全体の制御を管理する制御ユニットである。ＣＰＵ２０４は、入力部２０１、データ通信部２０２、表示部２０３、記録媒体ドライブ装置２０６、およびＲＡＭ２０７が接続されており、データ通信、制御プログラムの読み出しや各種データのリード／ライト、データ／コマンド入力等を制御する。
【００４０】
記録媒体２０５は、ＣＰＵ２０４を動作させるための各種制御プログラムやその処理に使用されるパラメータ等を記憶している。各種制御プログラムとしては、例えば、デジタルカメラ１に動作指示を与えたり、デジタルカメラ１のパラメータ等を設定するためのデジタルカメラ設定用プログラム等がある。このデジタルカメラ設定用プログラムを起動させ、その操作画面上でデジタルカメラ１の自動実行フラグ格納部１５１、自動実行パラメータ＿エリア番号格納部１５２、および自動実行パラメータ格納部（０〜Ｎ）１５３の設定を行うことができる。また、記録媒体２０５としては、例えば、ハードディスク、フロッピーディスク、ＣＤ−ＲＯＭやＣＤ−Ｒ等を使用することができる。
【００４１】
つぎに、上記図２のデジタルカメラ１の動作を図５を参照して説明する。図５はデジタルカメラ１の動作を説明するためのフローチャートを示す。同図において、デジタルカメラ１の電源がＯＮされると（ステップＳ１）、ＣＰＵ１１０は、最初に各回路およびモータの初期化等のデジタルカメラの初期化を行なう（ステップＳ２）。つぎに、ＣＰＵ１１０は、メモリ１１５の自動実行フラグ格納部１５１の自動実行フラグのＯＮ／ＯＦＦをチェックし（ステップＳ３）、自動実行フラグがＯＦＦの場合には従来からある通常のカメラの撮影プログラムを実行して通常の撮影（第１の動作モード）を実行する（ステップＳ１２）。具体的には、デジタルカメラの操作者により設定される画質等の撮影条件で撮影を行い、ＣＣＤ１０３で電気信号に変換された画像データは、デジタル信号処理部１０６で信号処理され後、画像圧縮／伸長処理部１０７で圧縮処理が行われカードインターフェース１０８を介して記録媒体１２３に記録される。
【００４２】
他方、ステップＳ３で、自動実行フラグ格納部１５１のフラグがＯＮの場合には、ＣＰＵ１１０は、第２の動作モードを実行すべく、自動実行パラメータ＿エリア番号格納部１５２のエリア番号をチェックして（ステップＳ４）、自動実行パラメータ格納部１５３のどの自動実行パラメータを実行するかを取得する（ステップＳ５）。続いて、ＣＰＵ１１０は、該当する自動実行パラメータを取得し、取得した自動実行パラメータ（写真の縦横のサイズや色数等の撮影画質のパラメータ１６１、データ通信部１１７を介して記録された画像データを外部に転送する際の画質のパラメータ１６２、転送先メールアドレス１６３、転送先パスワード１６４、電話番号１６５等）をデジタルカメラ１に設定する（ステップＳ６）。
【００４３】
つづいて、ＣＰＵ１１０は、各種スイッチの読み取り、ストロボ１１８の充電、ＬＣＤ１１９への被写体の表示等の撮影準備を行い（ステップＳ７）、レリーズが押されるのを待つ。レリーズが押されるまでの間は、各種スイッチの状態を監視している。たとえば電源スイッチがＯＦＦにされた時には、電源ＯＦＦのプログラムを実行する。
【００４４】
そして、レリーズが押されると（ステップＳ８）、ＣＰＵ１１０は、自動実行パラメータで設定された撮影条件で、通常のカメラの動作と同様に撮影動作を行い、ＣＣＤ１０３で電気信号に変換された画像データは、デジタル信号処理部１０６で信号処理され後、画像圧縮／伸長処理部１０７で圧縮処理が行われカードインターフェース１０８を介して記録媒体１２３に記録される（ステップＳ９）。さらに、ＣＰＵ１１０は、自動実行パラメータの通信機能ＯＮ／ＯＦＦフラグ１６６をチェックし（ステップＳ１０）、通信機能ＯＮ／ＯＦＦフラグ１６６がＯＦＦの場合には、次の撮影準備に戻り（ステップＳ７）、通信機能ＯＮ／ＯＦＦフラグ１６６がＯＮの場合には、撮影した画像を、データ通信部１１７を介して、自動実行パラメータで設定される条件（データ転送時の画質１６２、転送先メールアドレス１６３、転送先パスワード１６４、電話番号１６５）に従って、指定される転送先に転送し（ステップＳ１１）、次の撮影準備に戻る（ステップＳ７）。
【００４５】
以上説明したように、上記した実施の形態によれば、撮影した画像を記録する第１の動作モード（通常の撮影モード）と、撮影した画像を記録すると共に外部に転送するための第２の動作モードとを有し、第１の動作モードと第２の動作モードとの選択を指示するための自動実行フラグを備え、当該自動実行フラグの内容を判別して、第１の動作モードまたは第２の動作モードを実行することとしたので、撮影した画像を容易に外部に転送することが可能となる。また、操作者は、どのような動作モードにおいても、単にシャッターを押すだけで良くなり、操作ミスを防止できる。
【００４６】
また、本実施の形態においては、第２の動作モードを実行するための複数の自動実行パラメータと、当該複数の自動実行パラメータのうちの１または複数を指定するための自動実行パラメータ＿エリア番号格納部１５２とを備え、第２の動作モードが選択された場合には、自動実行パラメータ＿エリア番号格納部１５２のエリア番号で指定される自動実行パラメータの設定条件を設定して当該第２の動作モードを実行することとしたので、第２の動作モードを実行する場合に、多様な設定条件の中から選択してで実行することが可能となる。
【００４７】
また、本実施の形態においては、自動実行フラグのＯＮ／ＯＦＦを外部装置から設定可能としたので、外部装置から動作モードを設定することができ、操作者の使い勝手が良くなる。
【００４８】
また、本実施の形態においては、自動実行パラメータ＿エリア番号格納部１５２のエリア番号を外部装置から設定可能としたので、外部装置から第２の動作モードで使用する自動実行パラメータを選択することができ、操作者の使い勝手が良くなる。
【００４９】
また、本実施の形態においては、複数の自動実行パラメータの内容を外部装置から設定可能としたので、外部装置から複数の自動実行パラメータを設定することができ、操作者の使い勝手が良くなる。付言すると、操作のしやすいＰＣで設定した後、カメラに転送する事ができ、設定が容易になる。また、やりやすくなると共に、たとえば、一日毎に、その業務内容が変更される場合には、出かける前に、カメラとＰＣを接続して、その日の業務に最適な状態にカメラを設定でき、使い勝手が良くなる。
【００５０】
また、本実施の形態においては、自動実行パラメータには、撮影画質（サイズ、色数等）１６１および／または通信時の設定情報（データ転送時の画質１６２、転送先メールアドレス１６３、転送先パスワード１６４、および電話番号１６５等）が含まれることとしたので、外部装置の操作者が必要な撮影時の画質や転送時の条件を設定することができ、操作者は最適な状態で使用することが可能となる。
【００５１】
なお、本発明は上記した実施の形態に限定されるものではなく、発明の要旨を変更しない範囲で適宜変形して実行可能である。
【００５２】
【発明の効果】
以上説明したように、請求項１にかかるデジタルカメラによれば、被写体を撮影して画像データを記録する第１の動作モードと、被写体を撮影して画像データを記録すると共に外部に転送する第２の動作モードとを有し、制御手段は、第１の動作モードまたは第２の動作モードの選択を指示する第１の情報に従って、第１の動作モードまたは第２の動作モードを実行することとしたので、撮影した画像を容易に外部に転送することが可能となる。また、操作者は、どのような動作モードにおいても、単にシャッターを押すだけで良くなり、操作ミスを防止できる。
【００５３】
また、請求項２にかかるデジタルカメラによれば、請求項１にかかるデジタルカメラにおいて、第２の動作モードを実行するための複数のパラメータを備え、制御手段は、第２の動作モードが選択された場合には、複数のパラメータのうちの１または複数を指定するための第２の情報で指定されるパラメータに従って当該第２の動作モードを実行することとしたので、請求項１にかかるデジタルカメラの効果に加えて、第２の動作モードを実行する場合に、多様な設定条件の中から選択してで実行することが可能となる。
【００５４】
また、請求項３にかかるデジタルカメラによれば、請求項１にかかるデジタルカメラにおいて、外部装置から第１の情報の内容を設定可能としたので、請求項１にかかるデジタルカメラの効果に加えて、外部装置から動作モードを設定することができ、操作者の使い勝手が良くなる。
【００５５】
また、請求項４にかかるデジタルカメラによれば、請求項２にかかるデジタルカメラにおいて、外部装置から第２の情報の内容を設定可能としたので、請求項２にかかるデジタルカメラの効果に加えて、外部装置から第２の動作モードで使用する自動実行パラメータを選択することができ、操作者の使い勝手が良くなる。
【００５６】
また、請求項５にかかるデジタルカメラによれば、請求項１〜４のいずれか１つにかかるデジタルカメラにおいて、外部装置から第２の動作モードを実行するためのパラメータを設定可能としたので、請求項１〜４のいずれか１つにかかるデジタルカメラの効果に加えて、外部装置から自動実行パラメータを設定することができ、操作者の使い勝手が良くなる。
【００５７】
また、請求項６にかかるデジタルカメラによれば、請求項１〜５のいずれか１つにかかるデジタルカメラにおいて、第２の動作モードを実行するためのパラメータには、撮影時の画質に関する情報および／または通信時の設定情報が含まれることとしたので、請求項１〜５のいずれか１つにかかるデジタルカメラの効果に加えて、外部装置の操作者が必要な撮影時の画質や転送時の条件を設定することができ、操作者は最適な状態で使用することが可能となる。
【００５８】
また、請求項７にかかるデジタルカメラシステムによれば、デジタルカメラでは、被写体を撮影して画像データを記録する第１の動作モードと、被写体を撮影して画像データを記録すると共に外部に転送する第２の動作モードとを有し、制御手段は第１の動作モードまたは第２の動作モードの選択を指示する第１の情報の内容に従って、第１の動作モードまたは第２の動作モードを実行し、外部装置では、設定手段は第１の情報の内容および第２の動作モードを実行するためのパラメータを設定することとしたので、撮影した画像を容易に外部に転送することが可能となる。また、操作者は、どのような動作モードにおいても、単にシャッターを押すだけで良くなり、操作ミスを防止できる。
【図面の簡単な説明】
【図１】本発明に係るデジタルカメラシステムの概略構成を示す図である。
【図２】図１のデジタルカメラの構成を示すブロック図である。
【図３】図２のメモリのデータ構成の一部を示す図である。
【図４】図１のパーソナルコンピュータの構成を示すブロック図である。
【図５】図２のデジタルカメラの動作を説明するためのフローチャートである。
【符号の説明】
１    デジタルカメラ
２    パーソナルコンピュータ
３    接続ケーブル
１０１    レンズ
１０２    メカ機構
１０３    ＣＣＤ
１０４    ＣＤＳ回路
１０５    Ａ／Ｄ変換器
１０６    デジタル信号処理部
１０７    画像圧縮／伸長処理部
１０８    カードインタフェース
１０９    カード用アダプタ（ＰＣカードＩ／Ｆ）
１１０    ＣＰＵ
１１１    モータドライバ
１１２    ＳＧ（制御信号生成部）
１１３    モード表示部
１１４    操作部
１１５    メモリ
１１６    ＲＡＭ
１１７    データ通信部
１１８    ストロボ回路
１１９    ＬＣＤ
１２１    ＤＣ−ＤＣコンバータ
１２２    電池
１２３    記録媒体
２０１    入力部
２０２    データ通信部
２０３    表示部
２０４    ＣＰＵ
２０５    記録媒体
２０６    記録媒体ドライブ装置
２０７    ＲＡＭ
【図１】
0003908883.tif 000002
【図２】
0003908883.tif 000003
【図３】
0003908883.tif 000004
【図４】
0003908883.tif 000005
【図５】
0003908883.tif 000006